(57)【要約】【課題】用紙供給部の給紙エラー検知機能がオフのまま気付かずに稼働開始をしないようにする用紙供給装置の実現。【解決手段】用紙を１枚ずつ繰り出し供給する用紙供給部２の給紙動作にエラーが発生しているか否かを検知する給紙エラー検知手段３を有し、更にこの給紙エラー検知手段３の検知機能のオン・オフ設定をする給紙エラー検知機能オン・オフ設定手段を有する用紙供給装置１において、給紙エラー検知機能オン・オフ表示部７を、用紙供給装置のスタート釦を押せば装置が稼働を開始するという状態のときに必ず自動的に表示される稼働開始待機状態表示部６中に表示させるようにする。【選択図】図１
2009196756.tif 000002
【特許請求の範囲】
【請求項１】
給紙棚に積載された用紙束から用紙を１枚ずつ給紙する用紙供給部と、
該用紙供給部からの給紙のエラーを検知する給紙エラー検知手段と、
検知された給紙エラーを表示する給紙エラー表示部と、
前記給紙エラー検知手段のエラー検知機能をオン・オフする給紙エラー検知機能オン・オフ設定手段と、
給紙の稼働開始待機状態を表示する稼働開始待機状態表示部と、を有する用紙供給手段において、稼働開始待機状態表示部中に、前記給紙エラー検知機能オン・オフ設定手段による給紙エラー検知機能のオン・オフを表示させる給紙エラー検知機能オン・オフ表示部を有することを特徴とする用紙供給装置。
【請求項２】
前記給紙エラー表示部と、給紙エラー検知機能オン・オフ表示部が１つの電子画面上に形成されたものであることを特徴とする請求項１記載の用紙供給装置。
【請求項３】
前記給紙エラー検知機能オン・オフ表示部は、複数種類の給紙エラー区分それぞれについての検知機能のオン・オフ状態を同時に表示するものであることを特徴とする請求項１又は請求項２記載の用紙供給装置。
【請求項４】
前記給紙エラー検知機能オン・オフ設定手段が画面タッチ式であり、当該画面は前記給紙エラー検知機能オン・オフ表示部の画面をタッチすることにより呼び出されるものであることを特徴とする請求項２又は請求項３記載の用紙供給装置。
【請求項５】
前記画面タッチ式の給紙エラー検知機能オン・オフ設定手段が複数種類の給紙エラーの検知機能のそれぞれについて設けられ、前記給紙エラー検知機能オン・オフ表示部に対するタッチ態様の違いにより選択することにより呼び出されるものであることを特徴とする請求項４記載の用紙供給装置。
【請求項６】
前記用紙供給手段が、複数の用紙供給部と、各用紙供給部から繰り出された用紙の先端を揃えて重ね合わせる垂直搬送路と、垂直搬送路から送られて来る用紙束を集積する紙受け部とを備えた丁合装置であることを特徴とする請求項１〜５のいずれか１項に記載の用紙供給装置。
【発明の詳細な説明】
【技術分野】
【０００１】
本発明は用紙供給装置における給紙エラーの検知手段の検知機能オン・オフ状態の表示に関する技術分野である。
【背景技術】
【０００２】
用紙供給装置では、その用紙供給部における給紙動作にエラーを生ずることがある。
エラーの種類としては、重送、空送り、紙詰まり等である。重送とは、給紙棚から用紙を１枚ずつ供給すべきところ２枚以上が重なって給紙されることであり、空送りとは用紙が給紙されるべきときに給紙棚から用紙が繰り出されないことであり、紙詰まりとは用紙の繰り出し動作は開始したが用紙が完全に繰り出される前に詰まってしまう場合である。
【０００３】
このようなエラーを生じたときには、用紙供給装置をそのまま稼働させることはできないので、用紙供給装置の稼働を停止させる必要がある。
そのため、従来から、用紙供給装置には用紙供給部の給紙エラーを検知するための給紙エラー検知手段が設けられている。
即ち、この給紙エラー検知手段が給紙エラーを検知したときには、その検知信号に基いて用紙供給部の給紙動作を自動的に停止させるようになっている。
【０００４】
この給紙エラー検知手段は、用紙供給部の用紙繰り出し前端に設けられ、用紙面の一方側から発光素子の光ビームを照射し、他方側で用紙を透過した光を受光素子で受光し、用紙１枚分の通過時間における受光強度によって給紙エラーを検知しようとするものである。
即ち、用紙１枚の透過受光強度が用紙の検知手段を通過する時間だけ継続する状態を正常とし、用紙の通過時間を越えて継続する場合に紙詰まりと判断し、通過時間における用紙透過受光強度が用紙１枚を透過した受光強度より弱い場合には重送と判断するようになっている（例えば、特許文献１参照。その他出願人の実地経験および見聞による）。
【０００５】
ところが、給紙エラー検知手段が以上のような原理によるものであるところから、給紙エラーがないにもかかわらず、エラーとして判断される場合が生ずる。
例えば用紙が黒ベタ印刷の場合には１枚でも透過光強度が下ってしまい重送と判断されたり、用紙が薄紙の場合は、透過光強度が用紙の存在しない場合と同じようになり空送りと判断されたり、また給紙エラー検知手段に塵埃や用紙屑が付着してしまった場合や故障の場合には紙詰まりと判断されてしまったりして、そのような場合にも用紙供給装置の稼働が停止されてしまうことがある。
【０００６】
そこで操作者としては、用紙が黒ベタ印刷のものであったり、薄紙であったり、給紙エラー検知手段に塵埃や用紙屑が付着しているような場合には、給紙エラーがないのに給紙動作が停止されることのないよう、とりあえず給紙エラー検知手段の給紙エラー検知機能をオフにして用紙供給装置を稼働させている。
【０００７】
しかし、この検知機能をオフにしたことの表示は、用紙供給装置の稼働開始待機状態表示部には表示されるようになってはおらず、給紙エラー検知機能オン・オフ表示は、稼働開始待機表示画面から更に画面を呼び出さなければならなかった（出願人の実地経験および見聞による）。
【特許文献１】特開２００２−７２７７６号公報（段落[０００３]、図１）
【発明の開示】
【発明が解決しようとする課題】
【０００８】
以上のように、給紙エラー検知機能をオフにしてあることの表示は、用紙供給装置の稼働開始待機状態表示部には表示されていないので、装置の操作者が交替する場合、後の操作者が前の操作者が給紙エラー検知機能をオフにして操作していたことに気付かず、装置の稼働を再開し、その後万一給紙エラーが発生しても用紙供給装置は自動停止することなく稼働を続け、頁重複や頁抜けの用紙束が排出されるという問題がある。
【０００９】
本発明の課題は、上記従来技術の問題点に鑑みて、給紙エラー検知機能がオフのまま気付かずに稼働することのない用紙供給装置を実現することにある。
【課題を解決するための手段】
【００１０】
本発明は上記の課題を解決するために、以下の各手段構成を有する。
本発明の第１の構成（基本構成）は、給紙棚に積載された用紙束から用紙を１枚ずつ給紙する用紙供給部と、該用紙供給部からの給紙のエラーを検知する給紙エラー検知手段と、検知された給紙エラーを表示する給紙エラー表示部と、前記給紙エラー検知手段のエラー検知機能をオン・オフする給紙エラー検知機能オン・オフ設定手段と、給紙の稼働開始待機状態を表示する稼働開始待機状態表示部と、を有する用紙供給手段において、稼働開始待機状態表示部中に、前記給紙エラー検知機能オン・オフ設定手段による給紙エラー検知機能のオン・オフを表示させる給紙エラー検知機能オン・オフ表示部を有することを特徴とする用紙供給装置である。
【００１１】
本発明の第２の構成は、前記第１の構成において、前記給紙エラー表示部と、給紙エラー検知機能オン・オフ表示部が１つの電子画面上に形成されたものであることを特徴とする用紙供給装置である。
【００１２】
本発明の第３の構成は、前記第１又は第２の構成において、前記給紙エラー検知機能オン・オフ表示部は、複数種類の給紙エラー区分それぞれについての検知機能のオン・オフ状態を同時に表示するものであることを特徴とする用紙供給装置である。
【００１３】
本発明の第４の構成は、前記第２又は第３の構成において、前記給紙エラー検知機能オン・オフ設定手段が画面タッチ式であり、当該画面は前記給紙エラー検知機能オン・オフ表示部の画面をタッチすることにより呼び出されるものであることを特徴とする用紙供給装置である。
【００１４】
本発明の第５の構成は、前記第４の構成において、前記画面タッチ式の給紙エラー検知機能オン・オフ設定手段が複数種類の給紙エラーの検知機能のそれぞれについて設けられ、前記給紙エラー検知機能オン・オフ表示部に対するタッチ態様の違いにより選択することにより呼び出されるものであることを特徴とする用紙供給装置である。
【００１５】
本発明の第６の構成は前記第１〜第５の構成のいずれか１つの構成において、前記用紙供給手段が、複数の用紙供給部と、各用紙供給部から繰り出された用紙の先端を揃えて重ね合わせる垂直搬送路と、垂直搬送路から送られて来る用紙束を集積する紙受け部とを備えた丁合装置であることを特徴とする用紙供給装置である。
【発明の効果】
【００１６】
本発明の第１の構成（基本構成）では、給紙エラー検知機能オン・オフ設定手段による給紙エラー検知機能オン・オフ状態の表示を用紙供給装置の稼働開始待機状態表示部中に表示させており、この稼働開始待機状態表示部というのは用紙供給装置の稼働を開始を待っている状態で表示されるものであるので給紙エラー検知機能のオン・オフ状態も表示されており、操作者は、装置を稼働開始するときには待機状態表示部を視て装置の状況を確認するので給紙エラー検知機能のオン・オフも確認されることになる。
【００１７】
従って、エラー検知機能がオフになっているのにオンになっているものと思い込んで装置を稼働させ、給紙エラーが発生しても自動停止することなく、頁落ちや頁重複の用紙束を供給してしまうというようなことが発生しなくなるという効果がある。
これは本願発明における基本的な効果である。
【００１８】
本発明の第２の構成では、給紙エラー表示部と給紙エラー検知機能オン・オフ表示部が１つの電子画面上に形成されたものであるところ、給紙エラー検知機能オン・オフ表示部は稼働開始待機状態表示部中に表示されているので給紙エラー表示部も稼働開始待機状態表示部中に表示されることになり、操作者が装置の稼働開始前に、特に画面呼び出しをすることなく給紙エラー状況を把握することができるという効果がある。
【００１９】
本発明の第３の構成では、給紙エラー検知機能オン・オフ表示部は複数種類の給紙エラー（例えば、重送、空送り、紙詰まり）それぞれについての検知機能のオン・オフを同時に表示するものであるから各種類毎のエラー発生状況を把握できるという効果がある。
【００２０】
本発明の第４の構成では、稼働開始待機画面中の給紙エラー検知機能オン・オフ表示の画面をタッチすることにより給紙エラー検知機能オン・オフ設定画面が現われ、その画面をタッチすることにより検知機能のオン・オフを設定できるので給紙エラー検知機能のオン・オフが容易にできるという効果がある。
【００２１】
本発明の第５の構成では、前記第４の構成において、複数種類の給紙エラーについて給紙エラー検知機能オン・オフ設定手段が設けられ、給紙エラー検知機能オン・オフ表示部をタッチの仕方を変えてタッチすることにより、求める種類のエラーのオン・オフ設定手段が現われるのでエラーの種類毎のきめこまやかなオン・オフ設定が可能であるという効果がある。
【００２２】
本発明の第６の構成では、用紙供給手段が複数の用紙供給部から１枚ずつ繰り出して１冊分の用紙束を形成することを連続して行う丁合装置であるところから、前記各構成における効果が得られることは非常な利点となる。
【発明を実施するための最良の形態】
【００２３】
本発明を実施するに当っては、発明の構成である給紙エラー表示部、給紙エラー検知機能オン・オフ設定手段、稼働開始待機状態表示部、給紙エラー検知機能オン・オフ表示部等の表示部は電子画像表示とし、給紙エラー検知機能オン・オフ設定手段も電子画像表示面に対するタッチによってオン・オフ設定をできるようにし、各電子画像は、１つの電子画像表示パネル上で切替え表示させるようにするのが最良である。
【００２４】
また、用紙供給装置が丁合装置のように用紙供給部が多数あるものについては、各用紙供給部に設けられる給紙エラー検知手段も当然多くなり、且つそれぞれの給紙エラー検知手段は複数種類の給紙エラー（重送、空送り、紙詰まり）を行うようになっており、例えば空送りと紙詰まりの検知機能のオン・オフは一括して行うが、重送の検知機能のオン・オフは空送りや紙詰まりの場合とは別に行わせるというように場合分けがあり、表示情報が多くなり、種類毎に表示スペースを増加させると表示面が大きくなり高価なものとなるので、これを避けるため、例えば１つの用紙供給部については１つの表示スペースで色を変えることにより複数種類の検知機能のオン・オフを表示するのが最良である。
【実施例】
【００２５】
以下、本発明の用紙供給装置の実施例を図面を参照して説明する。
図１は、用紙供給装置の実施例の構成を示すブロック図である。
用紙供給部２には用紙束が積載されており、そこから給紙ローラ或いは周回吸引ベルト等によって１枚ずつ繰り出し給紙するようになっている。
この給紙動作においては、周知の重送、空送り、紙詰まり等の給紙エラーを生ずることがある。そのようなエラーが生ずると給紙されて形成される用紙束に頁重複、頁脱落等の不具合を生ずる。
【００２６】
そこで、このようなことが発生しないように用紙供給部２の給紙状況を給紙エラー検知手段３で監視し、エラーが発生した場合にはこれをエラーの種類も含めて検知し、給紙動作を自動停止させるとともに、エラーの発生およびその種類を給紙エラー表示部４に表示させる。保守員或いは操作者はこの表示を見てエラーやエラーの原因を解消し装置を再稼働させて正常な給紙が行われるようにする。
【００２７】
給紙エラー検知手段３は、給紙エラー検知機能オン・オフ設定手段５によって検知機能がオン・オフされるようになっている。これは、用紙の種類が給紙エラー検知手段３によってエラー検知されるのに適さないものであったり、給紙エラー検知手段３自体に故障その他の不具合があったとき、給紙エラー検知手段の機能を一時的に停止させる必要のある場合があるからである。
そして、給紙エラー検知機能オン・オフ設定手段５でオン・オフしたときにはそれを示す信号が給紙エラー検知機能オン・オフ表示部７へ送られ、検知機能のオン・オフ状態が表示される。
【００２８】
本発明では、この給紙エラー検知機能オン・オフ表示部が、稼働開始待機状態表示部６内に表示されるようになっている。この稼働開始待機状態表示部６は、スタート釦を押せば装置が稼働を開始するという状態のときに表示されている画面であって、装置の稼働を開始するに当って確認、チェックすべき項目が表示される表示部である。
従って、給紙エラー検知機能オン・オフ表示部７が稼働開始待機状態表示部６中にあることは、装置の稼働開始に当って、給紙エラー検知機能が、オンになっているかオフになっているかを画面切替え等の手間を要せずに確認できるということである。
【００２９】
もし、従来のように、給紙エラー検知機能オン・オフ表示部７が稼働開始待機状態表示部６中に設けられていないときには、給紙エラー検知機能オン・オフ表示画面を画面操作により呼び出して確認する必要がある。このようになっている場合、用紙供給装置の操作者の交替がある場合に、前操作者が何らかの理由により、エラー検知機能をオフにして稼働を継続したあと、エラー検知機能をオフにしたままで停止し、後の操作者が再稼働を開始しようとする際、エラー検知機能のオン・オフは待機画面に表示されていないためエラー検知機能はオン・オフにはあまり注意が払われずそのまま再稼働することが起り得る。
その状態で、もし給紙エラーが発生したとしてもオフになっているため、給紙エラーは検知されず、従って装置も自動停止せず稼働を続けるので、頁重複や頁抜けが生ずる。
【００３０】
本発明では、前述のように給紙エラー検知機能オン・オフの表示は稼働開始待機状態表示部６中で行われるので、上記のような不都合の発生を回避できる。
【００３１】
図１の用紙供給部２は、用紙供給装置が丁合装置である場合には、多数段（例えば１２段）となるから、それに伴って給紙エラー検知手段３も多数（１２個）になる。そして１つの給紙エラー検知手段で複数種類のエラーを検知するようになっているから、それぞれの機能のオン・オフ表示も含めて給紙エラー表示部４の表示内容は多くなるので工夫を要する。
【００３２】
図２は、用紙供給部２が１２段の丁合装置の稼働開始待機状態表示部６中に表示した給紙エラー表示部４と給紙エラー検知機能オン・オフ表示部７を示したものである。
図１では、給紙エラー表示部４は、稼働開始待機状態表示部６中には入っていないが、図２では給紙エラー検知機能オン・オフ表示部７とともに入っている例を示している。
【００３３】
左欄の数字は用紙供給部２の段順位を示している。そして、検知機能のオン・オフについては、数字の色と数字の背景地（四角の部分）の色によって場合分けしている。
具体的には、数字の色が黒のときには重送検知機能がオン、数字の色が赤のときには重送検知機能がオフ、背景地が水色のときには、空送りと紙詰まりの検知機能がオン、背景地の色が紫色のときには空送りと紙詰まりの検知機能がオフをそれぞれ示すようになっている。
つまり、数字と背景地に色を用いることによって４通りの状態が表示できるようになっている。
【００３４】
こうして、給紙エラー検知機能オン・オフ表示部７は複数種類の給紙エラー区分それぞれについての検知機能のオン・オフ状態を同時に表示できることになる。
数字欄の右側の長方形部分は給紙エラー表示部４であって、給紙エラーの種類を図案化したアイコンで表示するようになっている。
図の例では１段目のアイコンは重送を示す。２段目のアイコンは空送りを示す。３段目のアイコンは紙詰まりを示す。
【００３５】
図３は給紙エラー検知手段３のエラー検知機能をオン・オフする給紙エラー検知機能オン・オフ設定手段である画面であり、（ａ）は重送検知機能オン・オフ設定画面であり、（ｂ）は空送り・紙詰まり検知機能オン・オフ設定画面である。
これらの画面は、図２の給紙エラー検知機能オン・オフ表示部７、即ち数字が表示されている部分を数値にかかわらずタッチすることにより画面が切り替わって表示される。図３の（ａ）を呼び出すか、（ｂ）を呼び出すかはタッチの態様による。
例えば短いタッチ（例えば１秒未満）ならば（ａ）、長いタッチ（例えば１秒以上）ならば（ｂ）であるとか、シングルタッチならば（ａ）、ダブルタッチならば（ｂ）という具合である。
給紙エラー検知機能オン・オフを１種類の給紙エラーについてしか行わない場合には上記のようなタッチの態様の区別を設ける必要はない。
【００３６】
図３の画面は（ａ）、（ｂ）いずれも図２の、丁合装置の用紙供給部２の段数１２に等しい１２箇所の電球アイコンタッチ部分があり、タッチして電球が光ったときは、そのタッチ部分の左に記された数字の段の用紙供給部に対するエラー検知機能がオンになっていることを示し、電球が消えたときはオフになっていることを示す。
以上のように、重送検知機能についても、空送り・紙詰まり検知機能についても用紙供給部の各段毎にオン・オフの設定が可能である。
【図面の簡単な説明】
【００３７】
【図１】本発明の用紙供給装置の実施例の構成を示すブロック図である。
【図２】本発明の用紙供給装置の例である丁合装置の稼働開始待機状態表示部に給紙エラー検知機能オン・オフ表示部と給紙エラー表示部を表示させた例を示す図である。
【図３】用紙供給装置が丁合装置である場合のエラー検知機能オン・オフ設定手段である画面を示す図である。
【符号の説明】
【００３８】
１  用紙供給装置
２  用紙供給部
３  給紙エラー検知手段
４  給紙エラー表示部
５  給紙エラー検知機能オン・オフ設定手段
６  稼働開始待機状態表示部
７  給紙エラー検知機能オン・オフ表示部
【図１】
2009196756.tif 000003
【図２】
2009196756.tif 000004
【図３】
2009196756.tif 000005